(57)【要約】【課題】  有名人等の個人や団体が、簡単に自らの意図を反映した電子カードの発行を行うとともに、電子カードの所有者が「確かに所有している」という実感を得ることができるシステムを提供すること。【解決手段】  電子カードの種類を定めるカード情報の入力に基づいて、前記電子カードの発行を行う電子カード管理システムであって、発行者の画像を含む前記カード情報の入力を受け付けて登録することにより、前記電子カードを発行する発行手段と、発行された前記電子カードの指定を含む、ユーザからの入力に応じて、前記ユーザを当該電子カードの所有者として記録する提供手段と、前記ユーザに対して、前記電子カード及びその所有者を確認する為の画面を表示する為に、前記カード情報及び所有者に基づき表示処理を実行して処理結果を送信する表示手段と、を備えることを特徴とする。【選択図】図１
2020113142.tif 000002
【特許請求の範囲】
【請求項１】
電子カードの種類を定めるカード情報の入力に基づいて、前記電子カードの発行を行う電子カード管理システムであって、
発行者の画像を含む前記カード情報の入力を受け付けて登録することにより、前記電子カードを発行する発行手段と、
発行された前記電子カードの指定を含む、ユーザからの入力に応じて、前記ユーザを当該電子カードの所有者として記録する提供手段と、
前記ユーザに対して、前記電子カード及びその所有者を確認する為の画面を表示する為に、前記カード情報及び所有者に基づき表示処理を実行して処理結果を送信する表示手段と、を備えることを特徴とする、電子カード管理システム。
【請求項２】
前記発行手段は、前記発行者を特定する発行者情報を、前記カード情報に紐づけて登録することを特徴とする、請求項１に記載の電子カード管理システム。
【請求項３】
前記発行手段は、ブロックチェーンに前記カード情報を登録し、
前記提供手段は、前記電子カードの所有者を前記ブロックチェーンに記録することを特徴とする、請求項１又は請求項２に記載の電子カード管理システム。
【請求項４】
前記画像は、前記発行者によって撮影された写真であることを特徴とする、請求項１〜３の何れかに記載の電子カード管理システム。
【請求項５】
前記発行手段は、同一の前記カード情報を持つ複数の個別カードを定義する個別カード情報を登録することによって前記個別カードを発行し、
前記個別カード情報は、前記個別カードの各々を識別する為の識別情報を含み、
前記提供手段は、ユーザの入力に応じて前記個別カードの所有者を記録し、
前記識別情報によって区別される前記個別カードごとに、前記発行者の入力に応じて、前記カード情報に含まれる前記画像を編集し、編集後の画像を含む前記個別カード情報を記録する編集手段を更に備え、
前記表示手段は、前記編集後の画像に基づいて表示処理を実行することを特徴とする、請求項１〜４の何れかに記載の電子カード管理システム。
【請求項６】
前記表示手段は、前記カード情報の編集の為の入力を前記発行者から受け付ける為の編集画面を表示処理して処理結果を送信し、
前記編集画面は、同一の前記カード情報を持つ前記電子カードについて、編集前の前記画像と、前記編集後の画像を含む前記個別カードの情報のリストと、を表示し、
前記編集手段は、前記編集画面を介して、前記個別カードの情報のリストから編集対象のカードの選択を受け付けることを特徴とする、請求項５に記載の電子カード管理システム。
【請求項７】
前記個別カードの所有者から、前記個別カードの編集についての要望に関する入力を受け付ける要望受付手段を更に備え、
前記表示手段は、前記発行者が前記要望を確認する為の表示を含む画面を表示処理して処理結果を送信することを特徴とする、請求項５又は請求項６に記載の電子カード管理システム。
【請求項８】
電子カードの種類を定めるカード情報の入力に基づいて、前記電子カードの発行を行う電子カード管理プログラムであって、コンピュータを、
発行者の画像を含む前記カード情報の入力を受け付けて登録することにより、前記電子カードを発行する発行手段と、
発行された前記電子カードの指定を含む、ユーザからの入力に応じて、前記ユーザを当該電子カードの所有者として記録する提供手段と、
前記ユーザに対して、前記電子カード及びその所有者を確認する為の画面を表示する為に、前記カード情報及び所有者に基づき表示処理を実行して処理結果を送信する表示手段と、として機能させることを特徴とする、電子カード管理プログラム。
【請求項９】
電子カードの種類を定めるカード情報の入力に基づいて、前記電子カードの発行を行う電子カード管理方法であって、
発行者の画像を含む前記カード情報の入力を受け付けて登録することにより、前記電子カードを発行する発行ステップと、
発行された前記電子カードの指定を含む、ユーザからの入力に応じて、前記ユーザを当該電子カードの所有者として記録する提供ステップと、
前記ユーザに対して、前記電子カード及びその所有者を確認する為の画面を表示する為に、前記カード情報及び所有者に基づき表示処理を実行して処理結果を送信する表示ステップと、を備えることを特徴とする、電子カード管理方法。
【発明の詳細な説明】
【技術分野】
【０００１】
本発明は、電子カードの発行を行うための、電子カード管理システム、電子カード管理プログラム及び電子カード管理方法に関する。
【背景技術】
【０００２】
従来から、有名人の写真が印刷されたトレーディングカード等が販売され、ファンやコレクタ等の間で収集されている。このようなトレーディングカードを電子化してユーザが収集できるようにした技術が知られている。
【０００３】
例えば、特許文献１には、ネットワーク上で画像を配信し、この画像をアルバムとして保存させ、ユーザ同士で交換できるようにしたトレーディングカード配信システムが記載されている。
【０００４】
また、特許文献２に記載のシステムでは、デジタル記念品にサインやビデオメッセージ等を追加して、記念品を独自のものとすることができる。
【先行技術文献】
【特許文献】
【０００５】
【特許文献１】特開２００１−３１２６０２号公報
【特許文献２】特開２０１６−１４９７５４号公報
【発明の概要】
【発明が解決しようとする課題】
【０００６】
しかし、上記のようなシステムでは、カードや記念品の発行は管理者が行う必要があり、個人や団体が、自らの手でカードを作成することができなかった。これによって、ユーザに提供されるカードに、個人や団体などの発行者の意図が反映されにくく、親しみを持たれづらいという課題があった。また、実物が存在しない仮想的なカードであるために、ユーザがカードを実際に所有しているという実感を得られづらいという課題があった。
【０００７】
従って、本発明では、例えば有名人等の個人やその事務所といった団体が、自ら手軽に電子カードの発行を行うとともに、電子カードの所有者が「確かに所有している」という実感を得ることができるシステムを提供することを課題とする。
【課題を解決するための手段】
【０００８】
上記課題を解決する為に、本発明は、電子カードの種類を定めるカード情報の入力に基づいて、前記電子カードの発行を行う電子カード管理システムであって、
発行者の画像を含む前記カード情報の入力を受け付けて登録することにより、前記電子カードを発行する発行手段と、
発行された前記電子カードの指定を含む、ユーザからの入力に応じて、前記ユーザを当該電子カードの所有者として記録する提供手段と、
前記ユーザに対して、前記電子カード及びその所有者を確認する為の画面を表示する為に、前記カード情報及び所有者に基づき表示処理を実行して処理結果を送信する表示手段と、を備えることを特徴とする。
【０００９】
このような構成とすることで、発行者が作成した画像を表示する電子カードを手軽に発行し、希望するユーザに提供することができる。また、電子カードの所有者が認識できるよう表示されるため、ユーザは確かに電子カードを所有しているという感覚を得ることができる。
【００１０】
本発明の好ましい形態では、前記発行手段は、前記発行者を特定する発行者情報を、前記カード情報に紐づけて登録することを特徴とする。
このような構成とすることで、電子カードを発行した発行者を保証することができ、電子カードの正当性を確保できる。
【００１１】
本発明の好ましい形態では、前記発行手段は、ブロックチェーンに前記カード情報を登録し、
前記提供手段は、前記電子カードの所有者を前記ブロックチェーンに記録することを特徴とする。
このような構成とすることで、電子カードの所有者がブロックチェーンに記録されるため、確実に電子カードの所有が保証される。つまり、改竄耐性の高いブロックチェーンに所有者が記録されることにより、裏付けのある所有権を付与することができる。
【００１２】
本発明の好ましい形態では、前記画像は、前記発行者によって撮影された写真であることを特徴とする。
このような構成とすることで、例えば有名人が所謂「自撮り」写真を電子カードにして発行する等、より発行者の意図に沿った電子カードを発行することができる。
【００１３】
本発明の好ましい形態では、前記発行手段は、同一の前記カード情報を持つ複数の個別カードを定義する個別カード情報を登録することによって前記個別カードを発行し、
前記個別カード情報は、前記個別カードの各々を識別する為の識別情報を含み、
前記提供手段は、ユーザの入力に応じて前記個別カードの所有者を記録し、
前記識別情報によって区別される前記個別カードごとに、前記発行者の入力に応じて、前記カード情報に含まれる前記画像を編集し、編集後の画像を含む前記個別カード情報を記録する編集手段を更に備え、
前記表示手段は、前記編集後の画像に基づいて表示処理を実行することを特徴とする。
このような構成とすることで、電子カードの種類が同じ（同一のカード情報を持つ）カードであっても、個別に管理して発行者による編集を受け付けることができるため、所有者は自分だけの電子カードを持つことができる。つまり、実物のカードを購入して、有名人等にサインをしてもらうのと同じように、発行された電子カードに対して発行者に個別に手を加えてもらうことで、同一のカード情報を持つ電子カードをユーザに提供できる。
【００１４】
本発明の好ましい形態では、前記表示手段は、前記カード情報の編集の為の入力を前記発行者から受け付ける為の編集画面を表示処理して処理結果を送信し、
前記編集画面は、同一の前記カード情報を持つ前記電子カードについて、編集前の前記画像と、前記編集後の画像を含む前記個別カードの情報のリストと、を表示し、
前記編集手段は、前記編集画面を介して、前記個別カードの情報のリストから編集対象のカードの選択を受け付けることを特徴とする。
このような構成とすることで、電子カードの種類ごとに、個別カードのリストを編集後の画像と共に確認できる。また、編集前の画像が表示されるため、一目で編集しようとする電子カードの種類を認識できる。
【００１５】
本発明の好ましい形態では、前記個別カードの所有者から、前記個別カードの編集についての要望に関する入力を受け付ける要望受付手段を更に備え、
前記表示手段は、前記発行者が前記要望を確認する為の表示を含む画面を表示処理して処理結果を送信することを特徴とする。
このような構成とすることで、発行者は各個別カードの所有者からの要望に応じて、画像の編集を行うことができるため、より個人の希望を反映した唯一の電子カードの提供が可能になる。
【００１６】
本発明は、電子カードの種類を定めるカード情報の入力に基づいて、前記電子カードの発行を行う電子カード管理プログラムであって、コンピュータを、
発行者の画像を含む前記カード情報の入力を受け付けて登録することにより、前記電子カードを発行する発行手段と、
発行された前記電子カードの指定を含む、ユーザからの入力に応じて、前記ユーザを当該電子カードの所有者として記録する提供手段と、
前記ユーザに対して、前記電子カード及びその所有者を確認する為の画面を表示する為に、前記カード情報及び所有者に基づき表示処理を実行して処理結果を送信する表示手段と、として機能させることを特徴とする。
【００１７】
本発明は、電子カードの種類を定めるカード情報の入力に基づいて、前記電子カードの発行を行う電子カード管理方法であって、
発行者の画像を含む前記カード情報の入力を受け付けて登録することにより、前記電子カードを発行する発行ステップと、
発行された前記電子カードの指定を含む、ユーザからの入力に応じて、前記ユーザを当該電子カードの所有者として記録する提供ステップと、
前記ユーザに対して、前記電子カード及びその所有者を確認する為の画面を表示する為に、前記カード情報及び所有者に基づき表示処理を実行して処理結果を送信する表示ステップと、を備えることを特徴とする。
【発明の効果】
【００１８】
本発明によれば、有名人等の個人が、簡単に自らの意図を反映した電子カードの発行を行うことができる。
【図面の簡単な説明】
【００１９】
【図１】本発明の実施形態における電子カード管理システムの機能ブロック図である。
【図２】本発明の実施形態における電子カード管理システムの電子カードの発行・提供に係る処理を示すフローチャートである。
【図３】本発明の実施形態における電子カード管理システムのカード情報入力画面の表示例を示す図である。
【図４】本発明の実施形態における電子カード管理システムのカード情報における画像入力画面の表示例を示す図である。
【図５】本発明の実施形態における電子カード管理システムの電子カード購入画面の表示例を示す図である。
【図６】本発明の実施形態における電子カード管理システムのプレビュー画面の表示例を示す図である。
【図７】本発明の実施形態における電子カード管理システムの購入情報入力画面の表示例を示す図である。
【図８】本発明の実施形態における電子カード管理システムの要望受付及び編集に係る処理を示すフローチャートである。
【図９】本発明の実施形態における電子カード管理システムの編集画面の表示例を示す図である。
【図１０】本発明の実施形態における電子カード管理システムの画像編集画面の表示例を示す図である。
【図１１】本発明の実施形態における電子カード管理システムのユーザのマイページの表示例を示す図である。
【発明を実施するための形態】
【００２０】
以下、図面を参照して本発明の一実施形態について詳細に説明する。なお、以下に示す実施形態は本発明の一例であり、本発明を以下の実施形態に限定するものではなく、様々な構成を採用することもできる。
【００２１】
例えば、本実施形態では電子カード管理システムの構成、動作などについて説明するが、同様の構成の方法、サーバ装置、コンピュータプログラム、記録媒体なども、同様の作用効果を奏することができる。また、プログラムは、記録媒体に記憶させてもよい。この記録媒体を用いれば、例えばコンピュータにプログラムをインストールすることができる。ここで、プログラムを記憶した記録媒体は、例えばＣＤ−ＲＯＭ等の非一過性の記録媒体であっても良い。
【００２２】
本発明において、電子カードとは、ユーザの画面に画像として表示される仮想的なカードのことを指す。
【００２３】
また、カード情報とは、電子カードの種類を定める情報であり、例えば固有のＩＤや、価格や発行数等の基本的な情報を指す。そして、各種の電子カードは複数発行することができ、その各々を定義する情報を個別カード情報と定義する。つまり、同じカード情報を持つ同じ種類の電子カードであっても、個別カード情報によって区別できる。
【００２４】
本実施形態では、複数の通信ノード装置によって構成されるブロックチェーンネットワークを用いて、電子カードの管理に関する情報をブロックチェーンに記録する構成を示す。特に本実施形態では、情報の記録等は特定のノード群の少なくとも一部によって実行・監視され、複数の団体や組織によって管理されるコンソーシアムブロックチェーンを構成する。具体的には、例えば電子カードの各発行者が所属する複数の団体が管理者となる構成が考えられる。なお、当該ノード群は、１又は複数の通信ノード装置により構成される。
【００２５】
ただし、本発明の構成はこれに限定されるものではなく、パブリックチェーンやプライベートチェーンを利用するようにしてもよいし、ブロックチェーンネットワークのような分散台帳システムの代わりにサーバ装置を用いて情報を管理するクライアントサーバシステムとして構成してもよい。
【００２６】
図１は、本実施形態における電子カード管理システムの構成を示す図である。ここに示すように、本実施形態の電子カード管理システムは、通信ノード装置としての電子カード管理装置１と、複数の通信ノード装置２によって構成されるブロックチェーンネットワーク３と、がネットワークＮＷを介して通信可能に構成されている。
【００２７】
ここで、電子カード管理装置１は、ブロックチェーンネットワーク３に新たに参加する通信ノード装置であるが、参加登録後は、通信ノード装置２Ａ−２Ｎと共にブロックチェーンネットワーク３を構成することになる。また、電子カード管理装置１は、通信ノード装置２Ａ−２Ｎとデータ通信を行うために、参加登録時に、ブロックチェーンネットワーク３における固有アドレスを取得する。この固有アドレスは、ユーザの公開鍵に基づいて、ユーザを一意に特定可能に作成される。本実施形態では、管理者の合意を得ると電子カード管理装置１がブロックチェーンネットワーク３に加わることを許可され、通信ノード装置２として機能する。
【００２８】
ブロックチェーンネットワーク３は、公開鍵を含む固有アドレスをそれぞれ有する複数の通信ノード装置２によって構成される分散型ネットワークであり、通信ノード装置２のそれぞれが共同してネットワーク維持を行う。ブロックチェーンネットワーク３に参加している通信ノード装置２Ａ−２Ｎのそれぞれに対応するデータベースＤＢには、ブロックチェーンＢＣ上のデータが保管される。したがって、ブロックチェーンＢＣを利用して、カードの生成や取引などの処理（トランザクション）の履歴を分散共有しかつ監視し合うことにより、通信ノード装置２Ａ−２Ｎ間でトランザクションの存在及び正当性を担保することができる。
【００２９】
ブロックチェーンＢＣは、ブロックと呼ばれるデータの時系列連鎖によって構成される。各ブロックは直前のブロックのハッシュ値の情報を含む。このため、いずれかのブロックの改ざんが行われた場合には、データの連鎖関係に不整合が生じる。
【００３０】
また、各ブロックは電子カードの購入などの処理（トランザクション）の履歴を含む。本実施形態においては、カード情報や個別カード情報が、その電子カードの所有者であるユーザの固有アドレスに関係付けてブロックチェーンＢＣに保存されている。
【００３１】
ブロックＢＫ１，ＢＫ２，・・・，ＢＫｎ，ＢＫｎ＋１を含むブロックチェーンＢＣのデータは、最終的には、電子カード管理装置１におけるデータベースＤＢに保存されると共に、ブロックチェーンネットワーク３を構成する複数の通信ノード装置２におけるデータベースＤＢにも保存（反映）される。
【００３２】
電子カード管理装置１としては、演算装置、主記憶装置、補助記憶装置、ネットワークへの接続手段や、種々の入出力装置等を備えた、一般的なコンピュータ装置を利用することができる。本実施形態では、サーバ装置等を利用する場合を想定するが、この他にもＰＣ（Ｐｅｒｓｏｎａｌ  Ｃｏｍｐｕｔｅｒ）等の任意のコンピュータ装置を用いてよい。本実施形態では、後述の各手段としてコンピュータ装置を機能させる為の専用のソフトウェア（電子カード管理プログラム）を記憶しており、カードの発行等に関する処理を行う。また、複数の通信ノード装置２についても同様である。
【００３３】
電子カード管理装置１は、ブロックチェーンネットワーク３に新たに参加する通信ノード装置であり、ブロックチェーンＢＣをデータベースＤＢ１に既に保持している場合、このブロックチェーンＢＣに保存されているブロックチェーンＢＣを利用するためのソフトウェアＳＷを実行する。一方、ブロックチェーンＢＣをデータベースＤＢ１に保持していない場合は、ブロックチェーンＢＣを利用するためのソフトウェアＳＷの実行をブロックチェーンネットワーク３上の通信ノード装置２Ａ−２Ｎに依頼する。
【００３４】
ここでは、電子カード管理装置１において、ユーザがソフトウェアを起動すると、参加登録を行うことが可能であり、通信ノード装置２Ａ−２Ｎとデータ通信を行うために、ブロックチェーンネットワーク３における固有アドレス（ブロックチェーンアドレス）を自己アドレスとして取得する。
【００３５】
電子カード管理装置１は、発行者の画像を含むカード情報の入力を受け付けて発行者情報とともにブロックチェーンＢＣに登録することにより電子カードを発行する発行手段１１と、電子カードの所有者をブロックチェーンＢＣに記録することで電子カードをユーザに提供する提供手段１２と、電子カードを表示する画面を含む各種の画面を表示処理して処理結果を送信する表示手段１３と、カード情報に含まれる画像を編集して編集後の画像を含む個別カード情報をブロックチェーンＢＣに記録する編集手段１４と、編集に関する所有者の要望に関する入力を受け付ける要望受付手段１５と、を備える。
【００３６】
次に、電子カードの発行や提供に関する処理を説明する。図２（ａ）は、発行手段１１による電子カードの発行に係る処理を示すフローチャートである。まず、ステップＳ１１において、電子カードの発行者からカード情報の入力を受け付ける。
【００３７】
図３は、カード情報入力画面の一例を示す図である。本実施形態においては、ここに示すように、カードの発行者（図における「Ａｒｔｉｓｔ」）、発行者の画像（図における「Ａｓｓｅｔ  Ｉｍａｇｅ」）、電子カードの名前（図における「Ａｓｓｅｔ  Ｎａｍｅ」）、発行枚数の上限値（図における「Ｔｏｔａｌ  Ｓｕｐｐｌｙ  Ｌｉｍｉｔ」）、販売価格（図における「Ｒｅｆｅｒｅｎｃｅ  Ｖａｌｕｅ」）、等の情報の入力を受け付ける。更に本実施形態では、カード情報がサウンドデータや動画データも含んでいてもよく、その有無や内容は発行者によって決定できる。
【００３８】
ここで入力される画像や動画等は、販売時にユーザに提供されるサンプルとして表示される。また、後述の編集処理を行わない場合には、販売された電子カードに紐づいて購入したユーザに対して表示・再生される画像となる。
【００３９】
カード情報入力画面Ｗ１において各項目を選択すると、対応する項目の入力を行うための画面が表示され、項目ごとに入力を行うことができる。図４に、カード情報における画像入力画面の一例を示す。このように、画像入力画面Ｗ２には、画像のフレームを指定するフレーム選択部Ｗ２１及び画像選択部Ｗ２２が表示されており、それぞれ選択中のフレームや画像のサンプルが表示される。そして、決定ボタンＷ２３が選択されると、フレームと画像を合成した画像を生成し、カード情報における発行者の画像として保存する。
【００４０】
ここで選択される画像は、予め任意のサーバ等に記憶して一意のＩＤを付与しておき、その中から選択を受け付けてそのＩＤを入力として受け取ることで画像を特定できる。サーバとしては、例えば分散型ストレージ等を用いてもよい。カード情報がサウンドデータや動画データを含む場合にも、同様の構成で実現できる。
【００４１】
なお、「発行者の画像」としては、発行者自身を撮影した画像であってもよいし、発行者によって作成された画像であってもよい。また、例えばアイドル等の有名人の電子カードを発行する場合、カード情報の入力はその有名人のマネージャー等の管理者が行ってもよいが、その場合にも「発行者」はその有名人であり、カード情報としては有名人の画像が入力されるものとする。
【００４２】
このようにして各項目について入力を受け付けると、カード情報入力画面Ｗ１では、各項目について入力された内容がプレビュー表示される。そして、カード情報登録ボタンＷ１１が選択されると、図２（ａ）のステップＳ１２に進み、発行手段１１は入力された内容に対してＩＤを付与し、カード情報としてブロックチェーンＢＣに記録する。
【００４３】
記録されたカード情報は、発行者によって確認できる。そして、カード情報に基づいて、電子カードの発行を行うことができる。即ち、ステップＳ１３で、カード情報の選択を受け付けてカード情報ＩＤにより電子カードの種類を特定し、その発行数の入力を受け付ける。そして、ステップＳ１４で、入力された発行数分だけ発行手段１１が個別カードＩＤを付与して、各個別カード情報をブロックチェーンＢＣに記録することで、電子カード（個別カード）を発行することができる。
【００４４】
電子カードが発行されると、ユーザは電子カードを購入できるようになる。図２（ｂ）は、本実施形態における電子カードの購入に係る処理の流れを示すフローチャートである。まず、ステップＳ２１において、提供手段１２が、購入画面を介してユーザから電子カードの購入に関する入力を受け付ける。図５は、購入画面の表示例を示す図である。
【００４５】
購入画面Ｗ３は、新しく発行された電子カードをその販売価格と共に表示する新着表示部Ｗ３１を備える。また、検索ボタンＷ３２を備え、販売中の電子カードを任意の条件で検索することができる。ユーザによる電子カードの選択を受け付けると、図６に示すようなプレビュー画面Ｗ４において、電子カードの画像とともにカード選択ボタンＷ４１が表示され、カード選択ボタンＷ４１を選択することで、表示されている電子カードの購入に進むことができる。
【００４６】
ユーザは、図７に示すような購入情報入力画面を介して、電子カードの購入に関する情報を入力する。ここに示すように、本実施形態では、購入情報として、電子カードのシリアルナンバーの選択を受け付ける。シリアルナンバーは、個別カードを指定するものであり、個別カードＩＤと紐づいている。これにより、各電子カードを区別してユーザに提供することができる。
【００４７】
また、本実施形態では支払いに用いる通貨を予め設定された複数の選択肢から選ぶことができる。例えば、自国通貨をベースとした電子マネーや、電子カード管理システムの内外で発行される暗号通貨、電子カードの発行者が独自に定めるポイント等を支払い通貨の選択肢とすることができる。これにより、例えば自国以外のユーザにも電子カードの購入が可能になる。
【００４８】
ユーザが購入情報入力画面Ｗ５において購入情報を入力し、購入ボタンＷ５１を選択すると、ステップＳ２２において提供手段１２が電子カードの購入を受け付ける。そして、ステップＳ２２で、購入したユーザを購入された個別カードの所有者とする個別カード情報をブロックチェーンＢＣに記録する。同時に、個別カードの価格に応じた取引の事実をブロックチェーンＢＣに記録する。より具体的には、取引の履歴として、取引金額、支払い通貨の送金元と送金先及び残高をブロックチェーンＢＣに記録する。
【００４９】
なお、選択された通貨の残高を確認し、支払いが不可能な場合には、電子カードの提供は行われず、ユーザに対してエラーメッセージが表示される。また、ブロックチェーンＢＣへ記録がされた際には、管理者である複数の通信ノード装置２による承認処理が行われる。
【００５０】
以上のようにして電子カードの発行及び購入が受け付けられ、電子カードがユーザに提供される。そして、本実施形態では更に、個別カードごとに発行者からの編集を受け付ける。また、編集に関する要望をユーザから受け付けることができ、これに応じて発行者が編集を行うことができる。
【００５１】
ここで、編集とは、電子カードのカード情報に含まれる画像の編集のことであり、例えば、画像にサインやメッセージの記入を加えて加工した画像を追加又は置き換えたり、動画やボイスメッセージの追加を行ったりすることを含む。
【００５２】
図８（ａ）は、電子カードの所有者からの要望の受付に係る処理を示すフローチャートである。まず、ステップＳ３１において、要望受付手段１５がユーザからの要望に関する情報の入力を受け付ける。本実施形態では、電子カードの購入時に、上述の購入情報とともにメモ欄への入力を受け付け、テキストで電子カードの編集に関する要望を受け付けるが、購入後に任意で要望を受け付ける構成としてもよい。なお、この他にも、選択肢を設けてユーザに選択させる構成としてもよい。
【００５３】
そして、ステップＳ３２において、要望受付手段１５がユーザからの要望に関する情報をブロックチェーンＢＣに記録する。この際に、要望が入力されたこと（本実施形態では、電子カードが購入されたこと）を電子カードの発行者に通知し、編集を促すようにすることが好ましい。
【００５４】
図８（ｂ）は、電子カードの発行者による画像の編集に係る処理を示すフローチャートである。まず、ステップＳ４１において、表示手段１３が発行者に対して編集画面を表示する。図９は、編集画面の表示例を示す図である。このように、編集画面Ｗ６は、カード情報を表示するカード情報表示部Ｗ６１と、カード情報における画像を表示する画像表示部Ｗ６２と、発行済みの個別カードのリストを表示する個別カードリストＷ６３と、を備える。
【００５５】
個別カードリストにおいては、編集後の画像（画像を編集済み場合）と、個別カードＩＤとを含むカードの情報がリスト表示されており、未編集の個別カードについては、編集後の画像の代わりに編集ボタンＷ６４が表示される。編集ボタンＷ６４が選択されると、表示手段１３は当該個別カードについて画像の編集を行う為の画像編集画面（編集画面Ｗ６の一態様）を表示する。
【００５６】
図１０は、画像編集画面の表示例を示す図である。このような画面を介してステップＳ４２で画像の編集を受け付ける。本実施形態では、カード情報における画像とは別に、新たに画像を撮影して、更に手書きのサイン等の編集を施す。画像編集画面Ｗ７は、新たに撮影した画像を表示する編集画像表示部Ｗ７１と、操作部Ｗ７２と、撮影プレビューＷ７３と、進行表示部Ｗ７４と、を備える。なお、編集画像表示部Ｗ７１は画像の撮影後に表示され、また撮影プレビューＷ７３は、静止画又は動画の撮影時に表示される。
【００５７】
ここでは、まず静止画の撮影を行い、次に動画の撮影を行う。ここで撮影された静止画や動画は、任意のサーバ等に保存し、そのデータを一意に特定する為の所在情報及びデータの名称をブロックチェーンＢＣに記録する。そして、撮影した画像に最後にサインやイラスト等の任意の編集を行い、編集後の画像を任意のサーバ等に保存する。進行表示部Ｗ７４には、このような編集の進行具合が表示されている。なお、新たな静止画の撮影及び動画の撮影は必須ではなく、これらを省略してカード情報における画像へのサイン等の編集に置き換えてもよい。
【００５８】
このようにして編集が行われると、ステップＳ４３に進み、任意のサーバに保存された編集後の画像のデータを一意に特定する為の所在情報等、編集後の画像に関する情報を含む個別カード情報をブロックチェーンＢＣに記録する。この時、編集が行われた個別カードの所有者に、編集が完了した旨を通知することが好ましい。
【００５９】
以上のようにして電子カードの編集が行われると、当該電子カードの所有者であるユーザは、自らが所有する電子カードにおいて、編集後の画像を確認することができる。図１１は、ユーザのマイページの表示例を示す図である。
【００６０】
マイページＷ８においては、ユーザが所有する電子カードが表示される。更に確認したい電子カードを選択すると、拡大した電子カードの画像と詳細が表示される。電子カードが動画やボイスメッセージ等を含む場合には、この詳細を表示する画面において再生される。
【００６１】
ここで、編集前の電子カードについては「編集中」である旨が表示され、編集後の電子カードについては、編集後の画像が表示される。また、カード情報における画像及び編集後の画像の両方が確認可能な構成としてもよい。
【００６２】
このようにして、電子カードの個別編集及び編集後のカードの表示を行うことができる。なお、本実施形態では電子カードの編集を受け付ける構成を例示したが、編集可能な電子カード（サイン付きカード）と、カード情報における画像をそのまま表示する電子カード（通常カード）と、の両方を発行可能な構成としてもよい。この場合には、カード情報の入力時に電子カードの発行者によるカードの種類の選択を受け付ける。
【００６３】
以上のように、本実施形態における電子カード管理システムによれば、有名人等の個人が、簡単に自らの意図を反映した電子カードの発行を行うことができる。また、電子カードを個別管理し、個別に編集を受け付けることで、唯一の電子カードを提供することができ、ユーザの満足度の向上につながる。
【００６４】
更に、カード情報及び個別カード情報をブロックチェーンＢＣに記録し、管理を行うことで、改竄耐性のある、信用できる情報としてユーザによる電子カードの所有が保証され、実体のない電子カードを物として「確かに所有している」という実感を与えることができる。
【符号の説明】
【００６５】
１  電子カード管理装置
１１  発行手段
１２  提供手段
１３  表示手段
１４  編集手段
１５  要望受付手段
２  通信ノード装置
３  ブロックチェーンネットワーク
ＤＢ  データベース
ＢＣ  ブロックチェーン
ＮＷ  ネットワーク
Ｗ１  カード情報入力画面
Ｗ１１  カード情報登録ボタン
Ｗ２  画像入力画面
Ｗ２１  フレーム選択部
Ｗ２２  画像選択部
Ｗ２３  決定ボタン
Ｗ３  購入画面
Ｗ３１  新着表示部
Ｗ３２  検索ボタン
Ｗ４  プレビュー画面
Ｗ４１  カード選択ボタン
Ｗ５  購入情報入力画面
Ｗ５１  購入ボタン
Ｗ６  編集画面
Ｗ６１  カード情報表示部
Ｗ６２  画像表示部
Ｗ６３  個別カードリスト
Ｗ６４  編集ボタン
Ｗ７  画像編集画面
Ｗ７１  編集画像表示部
Ｗ７２  操作部
Ｗ７３  撮影プレビュー
Ｗ７４  進行表示部
Ｗ８  マイページ
【図１】
2020113142.tif 000003
【図２】
2020113142.tif 000004
【図３】
2020113142.tif 000005
【図４】
2020113142.tif 000006
【図５】
2020113142.tif 000007
【図６】
2020113142.tif 000008
【図７】
2020113142.tif 000009
【図８】
2020113142.tif 000010
【図９】
2020113142.tif 000011
【図１０】
2020113142.tif 000012
【図１１】
2020113142.tif 000013
【手続補正書】
【提出日】令和1年8月29日(2019.8.29)
【手続補正１】
【補正対象書類名】特許請求の範囲
【補正対象項目名】全文
【補正方法】変更
【補正の内容】
【特許請求の範囲】
【請求項１】
電子カードの種類を定めるカード情報の入力に基づいて、前記電子カードの発行を行う電子カード管理システムであって、
発行者の画像を含む前記カード情報の入力を受け付けて登録することにより、前記電子カードを発行する発行手段と、
発行された前記電子カードの指定を含む、ユーザからの入力に応じて、前記ユーザを当該電子カードの所有者として記録する提供手段と、
前記ユーザに対して、前記電子カード及びその所有者を確認する為の画面を表示する為に、前記カード情報及び所有者に基づき表示処理を実行して処理結果を送信する表示手段と、を備え、
前記発行手段は、同一の前記カード情報を持つ複数の個別カードを定義する個別カード情報を登録することによって前記個別カードを発行し、
前記個別カード情報は、前記個別カードの各々を識別する為の識別情報を含み、
前記提供手段は、ユーザの入力に応じて前記個別カードの所有者を記録し、
前記識別情報によって区別される前記個別カードごとに、前記発行者の入力に応じて、前記カード情報に含まれる前記画像を編集し、編集後の画像を含む前記個別カード情報を記録する編集手段と、
前記個別カードの所有者から、前記個別カードの編集についての要望に関する入力を受け付ける要望受付手段と、
前記要望に関する入力が受け付けられたことを、前記発行者に通知する手段と、を更に備えることを特徴とする、電子カード管理システム。
【請求項２】
前記発行手段は、前記発行者を特定する発行者情報を、前記カード情報に紐づけて登録することを特徴とする、請求項１に記載の電子カード管理システム。
【請求項３】
前記発行手段は、ブロックチェーンに前記カード情報を登録し、
前記提供手段は、前記電子カードの所有者を前記ブロックチェーンに記録することを特徴とする、請求項１又は請求項２に記載の電子カード管理システム。
【請求項４】
前記画像は、前記発行者によって撮影された写真であることを特徴とする、請求項１〜３の何れかに記載の電子カード管理システム。
【請求項５】
前記表示手段は、前記カード情報の編集の為の入力を前記発行者から受け付ける為の編集画面を表示処理して処理結果を送信し、
前記編集画面は、同一の前記カード情報を持つ前記電子カードについて、編集前の前記画像と、前記編集後の画像を含む前記個別カードの情報のリストと、を表示し、
前記編集手段は、前記編集画面を介して、前記個別カードの情報のリストから編集対象のカードの選択を受け付けることを特徴とする、請求項１〜４の何れかに記載の電子カード管理システム。
【請求項６】
前記表示手段は、前記発行者が前記要望を確認する為の表示を含む画面を表示処理して処理結果を送信することを特徴とする、請求項１〜５の何れかに記載の電子カード管理システム。
【請求項７】
前記個別カードについて編集が行われたことを、当該個別カードの所有者に通知する手段を更に備えることを特徴とする、請求項１〜６の何れかに記載の電子カード管理システム。
【請求項８】
前記個別カードの所有者に対して表示されるマイページにおいて、編集前の前記個別カードについては編集中である旨が表示されることを特徴とする、請求項１〜７の何れかに記載の電子カード管理システム。
【請求項９】
電子カードの種類を定めるカード情報の入力に基づいて、前記電子カードの発行を行う電子カード管理プログラムであって、コンピュータを、
発行者の画像を含む前記カード情報の入力を受け付けて登録することにより、前記電子カードを発行する発行手段と、
発行された前記電子カードの指定を含む、ユーザからの入力に応じて、前記ユーザを当該電子カードの所有者として記録する提供手段と、
前記ユーザに対して、前記電子カード及びその所有者を確認する為の画面を表示する為に、前記カード情報及び所有者に基づき表示処理を実行して処理結果を送信する表示手段と、として機能させ、
前記発行手段は、同一の前記カード情報を持つ複数の個別カードを定義する個別カード情報を登録することによって前記個別カードを発行し、
前記個別カード情報は、前記個別カードの各々を識別する為の識別情報を含み、
前記提供手段は、ユーザの入力に応じて前記個別カードの所有者を記録し、
前記識別情報によって区別される前記個別カードごとに、前記発行者の入力に応じて、前記カード情報に含まれる前記画像を編集し、編集後の画像を含む前記個別カード情報を記録する編集手段と、
前記個別カードの所有者から、前記個別カードの編集についての要望に関する入力を受け付ける要望受付手段と、
前記要望に関する入力が受け付けられたことを、前記発行者に通知する手段と、としてコンピュータを更に機能させることを特徴とする、電子カード管理プログラム。
【請求項１０】
電子カードの種類を定めるカード情報の入力に基づいて、前記電子カードの発行を行う電子カード管理方法であって、
発行者の画像を含む前記カード情報の入力を受け付けて登録することにより、前記電子カードを発行する発行ステップと、
発行された前記電子カードの指定を含む、ユーザからの入力に応じて、前記ユーザを当該電子カードの所有者として記録する提供ステップと、
前記ユーザに対して、前記電子カード及びその所有者を確認する為の画面を表示する為に、前記カード情報及び所有者に基づき表示処理を実行して処理結果を送信する表示ステップと、をコンピュータが実行し、
前記発行ステップでは、同一の前記カード情報を持つ複数の個別カードを定義する個別カード情報を登録することによって前記個別カードを発行し、
前記個別カード情報は、前記個別カードの各々を識別する為の識別情報を含み、
前記提供ステップでは、ユーザの入力に応じて前記個別カードの所有者を記録し、
前記識別情報によって区別される前記個別カードごとに、前記発行者の入力に応じて、前記カード情報に含まれる前記画像を編集し、編集後の画像を含む前記個別カード情報を記録する編集ステップと、
前記個別カードの所有者から、前記個別カードの編集についての要望に関する入力を受け付ける要望受付ステップと、
前記要望に関する入力が受け付けられたことを、前記発行者に通知するステップと、を更にコンピュータが実行することを特徴とする、電子カード管理方法。